(57)【要約】【課題】入賞口への入賞動作を安定させると共に入賞口の開閉動作の信頼性の高い可変入賞装置を提供する。【解決手段】揺動部材３４の揺動軸３４ａには入賞口３６を開閉する開閉部３５が球誘導部３４ｂと交差する向きに設けられており、揺動部材３４は、ねじりコイルばね３８により開閉部３５が入賞口３６を閉鎖し、球誘導部３４ｂが枠体開口３０ａを開放する開放位置へ常時付勢されており、所定の条件下で、ソレノイド４０が駆動して作動部材３９を作動させ開閉部３５が入賞口３６を開放させるとともに球誘導部３４ｂが枠体開口３０ａを塞ぐ閉鎖位置まで揺動部材３４をねじりコイルばね３８の付勢力に抗して揺動させる。【選択図】図１１
2015213636.tif 000002
【特許請求の範囲】
【請求項１】
遊技盤の遊技領域を流下する遊技球を通過させる上下に開口した枠体と、
前記遊技盤と平行方向に配置される揺動軸を中心に揺動可能に軸支され、揺動軸と一体に湾曲形成された球誘導部により前記枠体開口を開閉する揺動部材と、
前記枠体を正面視して左右方向一方側の端部に前記枠体開口に臨んで形成され、所定の条件下で前記枠体開口を塞ぐ前記球誘導部を通じて誘導される遊技球を受け入れる入賞口と、
前記入賞口に入賞した遊技球を検出する入賞球検出手段と、
前記球誘導部が前記枠体開口を開放した開放位置と前記枠体開口を塞ぐ閉鎖位置との間で前記揺動部材を揺動させる作動部材と、
前記作動部材の動作を制御する駆動手段と、
前記揺動部材を前記球誘導部が前記枠体開口を開放する開放位置へ常時付勢する付勢手段と、を具備し、
前記揺動部材の揺動軸には前記入賞口を開閉する開閉部が前記球誘導部と交差する向きに設けられており、前記揺動部材は、前記付勢手段により前記開閉部が前記入賞口を閉鎖し、前記球誘導部が前記枠体開口を開放する開放位置へ常時付勢されており、所定の条件下で、前記駆動手段が駆動して前記作動部材を作動させ前記開閉部が前記入賞口を開放させるとともに前記球誘導部が前記枠体開口を塞ぐ閉鎖位置まで前記揺動部材を前記付勢手段の付勢力に抗して揺動させることを特徴とする可変入賞装置。
【請求項２】
前記駆動手段が駆動停止すると前記揺動部材を付勢力により閉鎖位置から開放位置まで揺動させて前記開閉部が前記入賞口を閉鎖すると共に前記球誘導部が前記枠体開口を開放して遊技球が前記枠体開口を通過するのを許容する請求項１記載の可変入賞装置。
【請求項３】
前記球誘導部の自由端には遊技球をガイドするガイドリブが突設されている請求項１又は請求項２記載の可変入賞装置。
【請求項４】
前記球誘導部には、前記遊技球を前記入賞口へ誘導する傾斜が設けられている請求項１乃至請求項３のいずれか１項記載の可変入賞装置。
【請求項５】
前記入賞口の開口部近傍に入賞球検出手段が配設される請求項１乃至請求項４のいずれか１項記載の可変入賞装置。
【請求項６】
前記作動部材は、前記揺動部材の揺動軸と交差方向の揺動軸を中心に揺動し、前記揺動部材を前記付勢手段の付勢力に抗して閉鎖位置に導く押圧部と前記閉鎖位置に留まるように保持する保持部を備えている請求項１乃至請求項５のいずれか１項記載の可変入賞装置。
【請求項７】
請求項１乃至請求項６のいずれか１項記載の可変入賞装置を備え、入賞した所定数の遊技球に対応するする既定の賞球を球払出装置から球受け皿に払い出す遊技機。
【発明の詳細な説明】
【技術分野】
【０００１】
本発明は、可変入賞装置及びこれを備えた遊技機に関する。
【背景技術】
【０００２】
パチンコ機などの遊技機は、球受け皿に貯留された遊技球を球発射装置の発射位置へ誘導し、前枠又は内枠に設けた発射ハンドルの操作により球発射装置を作動させて遊技盤の遊技領域に向かって遊技球を発射させる。遊技盤には、図柄表示装置や風車、チァッカー、賞球が払い出される普通入賞口や賞球が払い出されるともに図柄表示装置で抽選が開始される始動入賞口、大当たり（大入賞）が発生した場合に開口するアタッカー（可変入賞装置）などの役物が設けられている。
【０００３】
入賞口やアタッカーに遊技球が入賞すると、入賞した球数だけ、所定の賞球が払出し装置から打球受け皿に払い出される。風車に打球入賞口を設けて風車の回転を許容若しくは阻止して風車と入賞装置を一体化した入賞装置（特許文献１）や、左右に設けられた羽根車が自由回転して遊技球を落下させる状態と、強制回転させて特別入賞口や一般入賞口に遊技球を誘導する状態を切り替える入賞装置（特許文献２）などが提案されている。或いは大入賞口を開閉する開閉部材を、側面視十字状に交差して設けられた枠体部と平板部とで形成し、一方向に回転させることで、大入賞口を開閉する開閉装置（特許文献３）が提案されている。これらは遊技者の興趣を向上させたり、開閉速度を向上させるものであるが、風車の回転を阻止したり羽根車や開閉部材を強制回転させたりする際に、規定数より多い複数の遊技球を入賞口へ導いてしまうため、球払出装置から払い出される賞球数がばらつくおそれがあった。
【０００４】
この遊技球の大入賞口への入賞個数を安定させるため、遊技盤の取付孔に前枠部及び後枠部を備えた枠体部が組み付けられ、該枠体部の入球口内に枠状の開閉部材を配置し、遊技球を入球口を流下させる開口位置と入球口を塞いで入賞口へ遊技球を案内する入賞位置とで前後に位置を切り替えるようにした大入賞口装置も提案されている（特許文献４参照。）
【先行技術文献】
【特許文献】
【０００５】
【特許文献１】実開４−１９６９号公報
【特許文献２】特開平６−３２７８１９号公報
【特許文献３】特許第５１５６５３６号公報
【特許文献４】特開２０１３−２２３５９０号公報
【発明の開示】
【発明が解決しようとする課題】
【０００６】
上述した特許文献４の大入賞口装置においては、枠体部の入球口を流下する遊技球を、開閉部材を後退させて入球口を塞いで流下した遊技球を案内面部にて右枠部より左枠部へ誘導し当該左枠部に設けられた大入賞スイッチを通過させて賞球をカウントした後、所定カウント数が通過すると、開閉部材を前枠部に沿った前方位置へ移動させて入球口を開放して遊技球を流下させるようになっている。
このように枠体部内部の空間を案内面部が形成されたレール状に横長の開閉部材が横切るように前後動するために、入球口へ流下した遊技球を対向する壁面との間で挟み込む（噛み込む）おそれがある。この場合には、開閉部材の開閉動作不良（ロック状態）となって大入賞スイッチを遊技球が通過できないか或いは通過する遊技球の数が規定数を超えてしまうおそれがある。
【０００７】
本発明の課題は、上記実情に鑑みてなされたものであり、入賞口への入賞動作を安定させると共に入賞口の開閉動作の信頼性の高い可変入賞装置及びそれを用いて安定した賞球の払い出し動作が行える遊技機を提供することにある。
【課題を解決するための手段】
【０００８】
本発明は上記目的を達成するため、次の構成を備えることを特徴とする。
遊技盤の遊技領域を流下する遊技球を通過させる上下に開口した枠体と、前記遊技盤と平行方向に配置される揺動軸を中心に揺動可能に軸支され、揺動軸と一体に湾曲形成された球誘導部により前記枠体開口を開閉する揺動部材と、前記枠体を正面視して左右方向一方側の端部に前記枠体開口に臨んで形成され、所定の条件下で前記枠体開口を塞ぐ前記球誘導部を通じて誘導される遊技球を受け入れる入賞口と、前記入賞口に入賞した遊技球を検出する入賞球検出手段と、前記球誘導部が前記枠体開口を開放した開放位置と前記枠体開口を塞ぐ閉鎖位置との間で前記揺動部材を揺動させる作動部材と、前記作動部材の動作を制御する駆動手段と、前記揺動部材を前記球誘導部が前記枠体開口を開放する開放位置へ常時付勢する付勢手段と、を具備し、前記揺動部材の揺動軸には前記入賞口を開閉する開閉部が前記球誘導部と交差する向きに設けられており、前記揺動部材は、前記付勢手段により前記開閉部が前記入賞口を閉鎖し、前記球誘導部が前記枠体開口を開放する開放位置へ常時付勢されており、所定の条件下で、前記駆動手段が駆動して前記作動部材を作動させ前記開閉部が前記入賞口を開放させるとともに前記球誘導部が前記枠体開口を塞ぐ閉鎖位置まで前記揺動部材を前記付勢手段の付勢力に抗して揺動させることを特徴とする。
これにより、所定の条件が成立（例えば大当たりが発生）すると駆動手段が駆動して作動部材を付勢手段の付勢力に抗して作動させて揺動部材の開閉部を閉鎖位置から開放位置へ揺動させて入賞口を開放するとともに、球誘導部を開放位置から閉鎖位置へ揺動させて枠体開口を塞いで枠体内に流下した遊技球を球誘導部で受け止めて入賞口へ導いて入賞させる。このように、揺動部材には開閉部及び球誘導部が一体形成されており、入賞口と枠体開口の開閉動作が同時に行われるので、大当たり等の所定の条件が成立したことを条件に入賞口を開放すると共に枠体開口を塞ぐように臨んだ球誘導部が流下してきた遊技球を受け止めて確実に入賞口へ入賞させるうえに、入賞口及び枠体開口の開閉動作の応答性や信頼性を高めることができる。
【０００９】
また、前記入賞球検出手段が所定数の遊技球を検出すると、前記駆動手段を駆動停止して作動部材を復動させて、前記揺動部材を前記付勢手段の付勢力により閉鎖位置から開放位置まで揺動復帰させて前記開閉部が前記入賞口を閉鎖すると共に前記球誘導部が前記枠体開口を開放して遊技球の落下を許容する。
そして、球誘導部により入賞口へ入賞する遊技球が所定数に達すると、駆動手段を駆動停止させるだけで揺動部材が復動して入賞口を閉鎖し球誘導部が枠体開口を開放して遊技球の落下を許容するので、入賞球検出手段が規定数の遊技球を検出後に例え球誘導部に遊技球が載ったとしても、球誘導部が退避することにより枠体開口を落下して遊技領域に放出されるため、余剰球が入賞するおそれがなくなり、球誘導部により遊技球を流下させる動作と入賞口へ入賞させる動作の切り替えが確実かつ迅速に行える。
【００１０】
また、前記球誘導部の自由端には遊技球をガイドするガイドリブが突設されていると、大当たりが発生した際に枠体開口を塞ぐ球誘導部に落下した遊技球がガイドリブに沿って入賞口へ誘導され、入賞させることができる。
また、前記球誘導部には、前記遊技球を前記入賞口へ誘導する傾斜が設けられていると、球誘導部に落下した遊技球を入賞口へ誘導しやすくなる。
この場合、球誘導部自体が入賞口側が反体側に比べて低くなるように回転軸に対して傾斜して形成されていてもよく、球誘導部の板厚の変化により上述した傾斜が形成されていてもよく、或いは球誘導部に上述した傾斜がついた誘導壁が形成されていてもいずれでもよい。
【００１１】
また、前記入賞口の開口近傍に入賞球検出手段を設けると、入賞口を通過する遊技球の数が所定数に達するとすぐに駆動手段を駆動停止して揺動部材を枠体開口より球誘導部が退避する向きに揺動させることができるので、入賞球検出手段が規定数の遊技球を検出した後に揺動部材の球誘導部に遊技球が載っていたとしても、球誘導部が枠体開口より退避して球誘導部上の遊技球は枠体開口内を落下して遊技領域へ放出される。このため、入賞口への過剰な入賞を防ぐことができる。
【００１２】
また、前記作動部材は、前記揺動部材の揺動軸と交差方向の揺動軸を中心に揺動し、前記揺動部材を前記付勢手段の付勢力に抗して閉鎖位置に導く押圧部と前記揺動部材を前記閉鎖位置に留まるように保持する保持部を備えているのが好ましい。これにより、作動部材が作動すると押圧部が揺動部材を押圧して付勢手段の付勢に抗して閉鎖位置へ揺動させ、揺動部材を保持部によって閉鎖位置に留まるように保持する。よって、常態では開放位置にある揺動部材は、作動部材の作動により枠体開口を閉鎖する閉鎖位置へ揺動して確実に留まるので枠体開口の閉鎖状態が安定する。また、作動部材は、駆動手段を駆動停止すると付勢手段の付勢力により開放位置へ復動退避するので、枠体開口を即座に開放して遊技球を流下させることができる。
【００１３】
また上述したいずれかの可変入賞装置を備え、入賞した遊技球に対応する既定の賞球を球払出装置から球受け皿に払い出す遊技機においては、大当たりが発生した場合に、球払出装置から払い出される賞球の数も安定する。
【発明の効果】
【００１４】
上述した可変入賞装置及び遊技機を用いれば、入賞口への入賞動作を安定させると共に枠体開口の開閉動作の信頼性の高い可変入賞装置及びそれを用いて安定した賞球の払い出し動作が行える遊技機を提供することができる。
【図面の簡単な説明】
【００１５】
【図１】パチンコ機の正面図である。
【図２】図１のパチンコ機の背面図である。
【図３】揺動部材が開放位置にある可変入賞装置の正面図、左右側面図、平面図及び底面図、背面図、矢印Ｐ−Ｐ方向断面図である。
【図４】揺動部材が閉鎖位置にある可変入賞装置の正面図、左右側面図、平面図及び底面図、背面図、矢印Ｐ−Ｐ方向断面図である。
【図５】揺動部材が開放位置にある可変入賞装置の斜め透視図である。
【図６】図５の駆動手段、作動部材、揺動部材の斜視図である。
【図７】揺動部材が閉鎖位置にある可変入賞装置の斜め透視図である。
【図８】図７の駆動手段、作動部材、揺動部材の斜視図である。
【図９】可変入賞装置の正面側分解斜視図である。
【図１０】可変入賞装置の背面側分解斜視図である。
【図１１】開閉部が閉鎖位置、揺動部材が開放位置にある状態と、開閉部が開放位置、揺動部材が閉鎖位置にある状態の可変入賞装置の動作を説明する断面説明図である。
【発明を実施するための形態】
【００１６】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００１７】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ａ，５ｂにより前面枠５が開閉可能に取り付けられている。
【００１８】
前面枠５の中央部には遊技者が遊技盤６を視認できる窓部（ガラス枠）７が設けられている。該窓部７の上方には装飾ランプ８などが設けられている。また、窓部７の下方には、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００１９】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、可変入賞装置（アタッカー）１５、遊技盤レール１６、サイドランプ１７などの盤面部品やアウト球（電動チューリップ１４，アタッカー１５に入賞しなかった遊技球）を回収するアウト口１８などが設けられている。また、前面枠５にはシリンダ錠５ｃが設けられている。図示しないキーを鍵穴２８に挿入して回転操作することでシリンダ錠５ｃの開錠施錠が行われる。シリンダ錠２はキーを差し込んで一方向へ回転させると外枠２と内枠３の施錠が開錠され、他方向へ回転させると前面枠５と内枠３の施錠が開錠するようになっている。
【００２０】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１ａを通じて球払出装置２１と接続されている。球払出装置２２は球払出樋２３を通じて遊技球を貸球、賞球として球受け皿９（図１参照）へ払い出される。
【００２１】
また、遊技盤６の背面側は盤裏カバー２４に覆われている。この盤裏カバー２４には、図柄表示装置１１とこれを制御する画像処理基板等（図示せず）が覆われている。また、パチンコ機１の遊技動作を統括制御する主制御基板２５は、基板収納ケースに収納されて封止されている。また、主制御基板２５のほかに、球払出装置２２の球払出し動作を制御する払出制御基板２６、球発射装置（図示せず）の動作を制御する発射制御基板２７などが設けられている。
【００２２】
次に、遊技盤６に設けられる可変入賞装置（アタッカー）１５の構成について、図３乃至図１１を参照して説明する。
可変入賞装置１５は、図１の遊技盤６の所定位置に開設された開口部に組み付けられ、遊技領域を流下する遊技球を通過させる枠体開口３０ａが形成された平面コ字状の枠体３０が設けられている。枠体３０の開口縁部には、落下する遊技球を開口内部へ誘導する開口リブ３０ｂが設けられている（図３（Ｄ），図４（Ｄ）参照）。枠体３０は、第１ケース体３１に重ねて組み付けられ、第１ケース体３１は第２ケース体３２に重ね合わせて組み付けられる。上記枠体３０，第１ケース体３１，第２ケース体３２は、アタッカーユニット３３として一体に組み付けられる（図３及び図４（Ｂ）（Ｃ）（Ｄ）（Ｅ）参照）。また、第１ケース体３１と第２ケース体３２に囲まれた収納空間には、入賞口３６を開閉する開閉部３５、枠体開口３０ａを開閉する揺動部材３４、揺動部材３４を揺動及び揺動規制させる作動部材３９、作動部材３９を動作させる駆動手段（ソレノイド４０）などが設けられている（図３及び図４（Ｇ）参照）。
【００２３】
図５及び図７において、枠体３０を正面視して左右（長手）方向一方側の端部（左端部）には、入賞口３６が設けられている。入賞口３６は枠体開口３０ａに臨んで形成され、大当たり等の所定の条件が成立したことを条件に、枠体開口３０ａを塞ぐ揺動部材３４の球誘導部３４ｂを通じて誘導される遊技球を受け入れる。
【００２４】
また、入賞口３６近傍には入賞した遊技球を検出する入賞球検出スイッチ（入賞検出手段）３７が設けられている。入賞球検出スイッチ３７としては、例えば誘導形近接センサが好適に用いられる。入賞球検出スイッチ３７は第１ケース体３１の取付凹部３１ｂ（図９参照）に挿入され、対向する枠体３０の取付凹部３０ｃ（図１０参照）との間に挟み込まれて組み付けられる。入賞球検出スイッチ３７を通過した遊技球は、枠体３０の入賞球通路３０ｄ（図１０参照）、第１ケース体３１の入賞球通路３１ｃ（図９参照）を通じて回収される。入賞球通路３０ｄを構成する上壁は、枠体開口３０ａに向かって下向きに傾斜している。
【００２５】
図５及び図６において、第１ケース体３１の側部端面に形成された軸受凹部３１ａには、遊技盤６と平行方向に配置される揺動軸３４ａの一端（図６右端）が嵌め込まれ、他端（図６左端）は軸孔３１ｇ（図１０参照）に嵌め込まれて、揺動部材３４が揺動可能に軸支される。第２ケース体３２の軸受凹部３１ａの対向端面により軸受凹部３１ａの開放側が閉鎖されている（図５参照）。揺動部材３４は、第１ケース体３１と第２ケース体３２を一体に組み付けることで、揺動軸３４ａの一端が軸受凹部３１から抜け止めされて揺動可能に軸支される。また、揺動部材３４の揺動軸３４ａには、所定の長さ（左右方向に複数の遊技球が載置可能）と幅（前後方向に遊技球が１個支持可能）を有する球誘導部３４ｂが一体に湾曲形成されている。この球誘導部３４ｂは、揺動部材３４が揺動することで枠体開口３０ａに進退動し、当該枠体開口３０ａを開閉する（図３（Ｇ），図４（Ｇ）参照）。また、揺動部材３４の揺動軸３４ａの他端側（図６左端側）には入賞口３６を開閉する開閉部３５が球誘導部３４ｂと交差（直交）する向きに一体に設けられている。
【００２６】
また、図７及び図８において、球誘導部３４ｂの自由端側には遊技球をガイドするガイドリブ３４ｃが長手方向に連なって設けられている。具体的には球誘導部３４ｂは、枠体開口３０ａの閉鎖時に枠体開口３０ａの前後幅の略中央に位置するように設けられ、ガイドリブ３４ｃが遊技球の球心を支持するように設けられている。そして、大当たり等の所定の条件が成立したことを条件に、枠体開口３０ａを塞ぐ球誘導部３４ｂに落下した遊技球を、ガイドリブ３４ｃによってガイドしながら入賞口３６へ誘導して入賞させる。球誘導部３４ｂには、遊技球を入賞口３６へ誘導する傾斜が設けられているのが好ましい。これにより、球誘導部３４ｂに落下した遊技球を入賞口３６へ誘導しやすくなる。
例えば、球誘導部３４ｂが長手方向において入賞口３６側端部が反対側端部に比べて低くなるように揺動軸３４ａに対して傾斜して形成されていてもよく、球誘導部３４ｂの板厚の変化により上述した傾斜が形成されていてもよく、或いは球誘導部３４ｂに上述した傾斜がついた誘導壁が形成されていてもいずれでもよい。
【００２７】
図６及び図８において、揺動部材３４の入賞口３６に近い揺動軸３４ａには開閉部３５が球誘導部３４ｂと交差する向きに一体に形成されている。開閉部３５は、揺動部材３４の揺動によって、入賞口３６を閉鎖する閉鎖位置（図６参照）と開放する開放位置（図８参照）との間を揺動する。揺動部材３４の入賞口３６側（図６左端）とは反対側の揺動軸３４ａ（図６右端）には、ねじりコイルばね３８（付勢手段）が巻装されている。ねじりコイルばね３８の一端３８ａは、球誘導部３４ｂの誘導面（湾曲凹面）とは反対面（湾曲凸面）に設けられた係止部３４ｄに係止している。また、ねじりコイルばね３８の他端３８ｂは、第２ケース体３２の係止凹部３２ａに係止して第１ケース体３１を重ね合わせて固定される（図５，図７，図９参照）。これにより、揺動部材３４は、図６の矢印に示すように揺動軸３４ａを中心として反時計回り方向、即ち、開閉部３５が入賞口３６を閉鎖する閉鎖位置にあり、球誘導部３４ｂが枠体開口３０ａを開放する開放位置にあるように常時付勢されている（図５参照）。
【００２８】
図５及び図７において、開閉部３５は、第１ケース体３１に形成されたスリット３１ｄ、第２ケース体３２に形成されたスリット凹部３２ｂに収納された開放位置（図７参照）と枠体開口３０ａに進入して入賞口３６を閉鎖する閉鎖位置（図５参照）との間を揺動可能に設けられている。また、球誘導部３４ｂは、第１ケース体３１に設けられたスリット状の前面開口３１ｅ（図９，図１０参照）より枠体開口３０ａ内に進退可能に設けられている（図１１（Ａ）（Ｂ）参照）。
【００２９】
図６及び図８において、作動部材３９は、揺動部材３４の揺動軸３４ａと交差（直交）する方向に設けられた作動軸３９ａを中心に作動アーム３９ｃが揺動（往復動）する。作動部材３９は、作動アーム３９ｃの先端側に揺動部材３４をねじりコイルばね３８の付勢力に抗して押圧して閉鎖位置に導くアームヘッド部３９ｄ（押圧部）と揺動部材３４の背面側（凸面側）に押し当てたまま閉鎖位置に留まるように保持する保持部３９ｅが設けられている。これにより、ソレノイド４０に通電して作動部材３９が作動すると、アームヘッド部３９ｄが揺動部材３４を押圧してねじりコイルばね３８の付勢に抗して閉鎖位置へ揺動させ、保持部３９ｅによって揺動部材３４を閉鎖位置に留まるように保持する（図８参照）。よって、ソレノイド４０に通電すると、揺動部材３４が揺動して閉鎖位置に確実に留まるので枠体開口３０ａの閉鎖状態が安定する。また、ソレノイド４０への通電を停止すると、作動部材３９が復動し揺動部材３４はねじりコイルばね３８の付勢力により開放位置へ退避するので（図６参照）、枠体開口３０ａを即座に開放して遊技球を流下させることができる。
【００３０】
作動部材３９は、球誘導部３４ａが枠体開口３０ａを開放した開放位置（図６参照）と球誘導部３４ａが枠体開口３０ａを塞ぐ閉鎖位置（図８参照）との間で揺動部材３４を揺動軸３４ａを中心として揺動させる。作動部材３９は、第１ケース体３１の軸孔３１ｆと第２ケース体３２の軸孔３２ｃ（図９，図１０参照）に一対の作動軸３９ａが各々嵌め込まれて揺動可能に軸支されている。また、作動部材３９の作動軸３９ａの近傍に突設された一対の係止ピン３９ｂが、ソレノイド４０（駆動手段）のプランジャ（作動棒）４０ａの係止溝４０ｂに係止している（図６参照）。作動部材３９とソレノイド４０は、第１ケース体３１と第２ケース体３２により形成される収納空間に組み付けられる（図９，図１０参照）。
【００３１】
ソレノイド４０は、作動部材３９の揺動動作を制御する。具体的には、図６に示すようにソレノイド４０に非通電状態では、作動アーム３９ｃが起立した状態となる。また、図８に示すようにソレノイド４０へ通電した状態では、プランジャ４０ａが引き込まれ、作動アーム３９ｃが作動軸３９ａを中心に時計回り方向に傾いた状態となる。作動部材３９が傾くと、アームヘッド部３９ｄが球誘導部３４ｂを背面側に当接して押動するため、揺動部材３４をねじりコイルばね３８の付勢力に抗して、図６の開放位置から図８の閉鎖位置まで揺動軸３４ａを中心に時計回り方向に回転させる。揺動部材３４は、ねじりコイルばね３８の付勢力により戻ろうとするが、揺動部材３４の背面部にアームヘッド部３９ｄの保持部３９ｅを突き当てたままの状態となるので、閉鎖位置に留まる（図７参照）。このように、揺動部材３４と作動部材３９の軸線どうしが交差して配置されているので、揺動部材３４を閉鎖位置に安定的に保持することができる。
【００３２】
揺動部材３４は、常態では開閉部３５が入賞口３６を閉鎖し、球誘導部３４ｂが枠体開口３０ａを開放する開放位置にあるようにねじりコイルばね３８（図６参照）によって常時付勢されている（図５参照）。大当たり等の所定の条件が成立したことを条件に、ソレノイド４０に通電して作動部材３９を作動させ（図８参照）、ねじりコイルばね３８の付勢力に抗して揺動部材３４を開閉部３５が入賞口３６を開放させるとともに球誘導部３４ｂが枠体開口３０ａを塞ぐ閉鎖位置まで揺動して前進させる。これにより、枠体開口３０ａ内に流下した遊技球を球誘導部３４ｂが受け止めて入賞口３６へ導いて入賞させる（図７参照）。そして、入賞口３６と枠体開口３０ａの開閉動作が反対の動作でありかつ同時に行われるので、大当たり等の所定の条件が成立したことを条件に入賞口３６を開放すると共に、枠体開口３０ａを閉鎖するように臨んだ球誘導部３４ｂが流下してきた遊技球を入賞口３６へ入賞させる。
【００３３】
入賞球検出スイッチ３７（図７参照）が所定数の遊技球を検出すると、ソレノイド４０の通電を停止し、作動部材３９が起立した状態に戻る（復動する）ので、揺動部材３４は背面部に当接した保持部３９ｅの保持状態から解放され、ねじりコイルばね３８の付勢力により閉鎖位置から開放位置まで揺動復帰し（図６参照）、開閉部３５が枠体開口３０ａに進入して入賞口３６を閉鎖すると共に球誘導部３４ｂが枠体開口３０ａを開放して遊技球の落下を許容する（図５参照）。
【００３４】
入賞球検出スイッチ３７が規定数の遊技球を検出後に、仮に球誘導部３４ａに遊技球が載ったとしても、球誘導部３４ａが第１ケース体３１及び第２ケース体３２内へ退避する際に遊技球を枠体開口３０ａ内で落下させて遊技領域に放出されるため、ソレノイド４０の通電停止後に入賞口３６に余剰球が入賞するおそれがなくなる。即ち、球誘導部３４ａを後退させて遊技球が枠体開口３０ａを通過して流下させる動作と球誘導部３４ａを前進させて遊技球を入賞口３６ａへ誘導して入賞させる動作の切り替えが確実かつ迅速に行える。よって、入賞口３６及び枠体開口３０ａの開閉動作の応答性や信頼性を高めることができる。
【００３５】
また、入賞口３６は入賞球検出スイッチ３７の開口であってもよい。この場合には、入賞口３６を通過する遊技球の数が所定数に達するとすぐにソレノイド４０への通電を停止させて球誘導部３４ｂを枠体開口３０ａより退避させる向きに揺動部材３４を揺動させるので、過剰な遊技球が球誘導部３４ｂに載っていたとしても枠体開口３０ａ内を落下させて入賞口３６へ入賞すること防ぐことができる。
【００３６】
ここで、可変入賞装置（アタッカー１５）の組み付け構成例について図９及び図１０を参照して説明する。図９において、第２ケース体３２と第１ケース体３１との間に、プランジャ４０ａが正面視左右方向に水平駆動するようにソレノイド４０が収納され、作動部材３９、揺動部材３４が各々揺動可能に収納されるように組み付けられる。このとき作動部材３９の係止ピン３９ｂはプランジャ４０ａの係止溝４０ｂと係止し、一対の作動軸３９ａは、第１ケース体３１の軸孔３１ｆと第２ケース体３２の軸孔３２ｃに嵌め込まれて揺動可能に軸支される。
【００３７】
また、揺動部材３４は、一方の揺動軸３４ａが第１ケース体３１の軸受凹部３１ａに嵌め込まれ、他方の揺動軸３４ａは軸孔３１ｇ（図１０参照）に嵌め込まれる。また、開閉部３５をスリット３１ｄ，スリット凹部３２ｂに挿入配置する。また、揺動軸３４ａにはねじりコイルばね３８を嵌め込み、一端３８ａを球誘導部３４ｂの係止部３４ｄと係止し他端３８ｂを第２ケース体３２の係止凹部３２ａに係止させる。この状態で、第１ケース体３１と第２ケース体３２とを重ね合せて図示しないビスによりビス止めして一体に組み付ける。これにより、揺動部材３４は常態では球誘導部３４ｂが開放位置（開閉部３５が閉鎖位置）となるように付勢されて揺動可能に軸支され、作動部材３９はソレノイド４０の駆動により揺動可能に軸支される。
【００３８】
また、図９において、第１ケース体３１の取付凹部３１ｂには入賞球検出スイッチ３７の長手方向後端が嵌め込まれ、図１０に示すように入賞球検出スイッチ３７の長手方向前端は枠体３０の取付凹部３０ｃに嵌め込まれるように第１ケース体３１の前方に枠体３０が組み付けられる。入賞球検出スイッチ３７は、枠体３０の取付凹部３０ｃと第１ケース体３１の取付凹部３１ｃとで挟み込まれて組み付けられる。
【００３９】
次に、可変入賞装置（アタッカー１５）の動作例について図１１を参照して説明する。
遊技者により発射ハンドル１０（図１参照）を操作して遊技が開始され、遊技球が遊技盤６の遊技領域に打ち出される。図１１（Ａ）において、枠体３０内に流下した遊技球（破線部参照）は、枠体開口３０ａ内を通過させてそのまま遊技領域へ流下させる。
【００４０】
このとき、図６に示すように、ソレノイド４０はＯＦＦ（非通電）状態にあり、開閉部３５は第１ケース体３１より枠体３０の枠体開口３０ａ内に進入し（図５参照）、入賞口３６を閉鎖した状態にある。よって、枠体開口３０ａ内に流下した遊技球は入賞口３６に入賞することはない。
【００４１】
一方、図柄表示装置１１（図１参照）において抽選が行われ、大当たりが発生すると、図８に示すように、ソレノイド４０がＯＮ（通電）状態となる。このとき、ソレノイド４０はプランジャ４０ａを引き込むため作動部材３９が作動軸３９ａを中心に正面視して時計回り方向に揺動させる。これにより、図１１（Ｂ）に示すようにアームヘッド部３９ｄが球誘導部３４ｂの背面側を押動して揺動部材３４が揺動軸３４ａを中心に装置手前側（図１１（Ｂ）の時計回り方向）に揺動し、第１ケース体３１の前面開口３１ｅから枠体３０の枠体開口３０ａに進入して閉塞する。また、開閉部３５は枠体開口３０ａより第１ケース体３１のスリット３１ｄ及び第２ケース体３２のスリット凹部３２ｂ内へ退避する。揺動部材３４は、アームヘッド部３９ｄの保持部３９ｅに球誘導部３４ｂが当接したまま閉鎖位置で保持される。
【００４２】
よって、図１１（Ｂ）に示すように枠体３０の開口３０ａ内に流下した遊技球（破線部参照）は、球誘導部３４ｂによって受け止められガイドリブ３４ｃに沿って入賞口３６へ誘導されて入賞球検出スイッチ３７が入賞球を検出する。入賞球の検出情報は、払出制御基板２６（図２参照）へ送信される。入賞口３６へ入賞した遊技球は、入賞球通路３０ｄ，３１ｄを通じて回収される（図９，図１０参照）。
【００４３】
入賞球検出スイッチ３７が所定数の遊技球を検出すると、ソレノイド４０をＯＦＦ状態にして、図６に示すように、開閉部３５が第１ケース体３１より枠体開口３０ａに進入して入賞口３６を閉鎖させると共に作動部材３９が正面視して反時計回り方向に揺動することにより保持部３９ｅが球誘導部３４ｂより離間する。このため、揺動部材３４はねじりコイルばね３８の付勢により装置奥側（図１１（Ａ）の反時計回り方向）に退避するように揺動して第１ケース体３１及び第２ケース体３２内の開放位置まで揺動回転する。このとき、入賞球検出スイッチ３７が規定数の遊技球を検出した後に球誘導部３４ｂに載った遊技球は、揺動部材３４の枠体開口３０ａから退避する向きの揺動により球誘導部３４ｂ（ガイドリブ３４ｃ）から落下して、余剰球として枠体開口３０ａ内から遊技領域へ流下する。よって、大当たりが発生しても入賞口３６に入賞させる遊技球の入賞個数を安定させることができる。遊技球は球誘導部３４ｂの自由端のガイドリブ３４ｃに支持されて誘導されることで、ソレノイド４０がＯＦＦ状態になるとすぐにガイドリブ３４ｃが後退して遊技球の支持が解除され、確実に枠体開口３０ａ内に落下させることができ、過剰な入賞を防ぐことができる。
【００４４】
払出制御基板２６（図２参照）は、入賞口３６へ入賞した所定の遊技球数に応じて球払出装置２２から球受け皿９へ所定数の賞球を払い出す。よって、大当たりが発生した場合に、球払出装置２２から払い出される賞球の数も安定する。
【００４５】
また、上述した実施形態では可変入賞装置を所定の条件の下で、多量の入賞球を発せさせるアタッカー１５として説明したが、所定の条件の下で入賞口を開閉する始動入賞口に適用してもよい。また、遊技機の一例としてパチンコ機について説明したが、他の遊技球を使用する遊技機、例えば雀球遊技機やアレンジボール遊技機などに適用してもよい。
また、駆動手段は、ソレノイド４０を用いたが、モータやシリンダ等他の構成であってもよい。
【符号の説明】
【００４６】
１  パチンコ機  ２  外枠  ３  内枠  ４ａ，４ｂ  内枠ヒンジ  ５  前面枠  ５ａ，５ｂ  前枠ヒンジ  ５ｃ  シリンダ錠  ６  遊技盤  ７  窓部  ８  装飾ランプ  ９  球受け皿  １０  発射ハンドル  １１  図柄表示装置  １１ａ  センター役物  １２  スルーチャッカー  １３  風車  １４  電動チューリップ  １５  可変入賞装置（アタッカー）  １６  遊技盤レール  １７  サイドランプ  １８  アウト口  １９  貯留タンク  ２０  タンクレール  ２１  球通路  ２２  球払出装置  ２３  球払出し通路  ２４  盤裏カバー  ２５  主制御基板  ２６  払出制御基板  ２７  発射制御基板  ３０  枠体  ３０ａ  枠体開口  ３０ｂ  開口リブ  ３０ｃ，３１ａ  軸受凹部  ３１  第１ケース体    ３０ｄ，３１ｃ  入賞球通路  ３１ｂ  取付凹部  ３１ｄ  スリット  ３１ｅ  前面開口  ３１ｆ，３１ｇ，３２ｃ  軸孔  ３２  第２ケース体  ３２ａ  係止凹部  ３２ｂ  スリット凹部  ３３  アタッカーユニット  ３４  揺動部材  ３４ａ  揺動軸  ３４ｂ  球誘導部  ３４ｃ  ガイドリブ  ３４ｄ  係止部  ３５  開閉部  ３６  入賞口  ３７  入賞球検出スイッチ  ３８  ねじりコイルばね  ３９  作動部材  ３９ａ  作動軸  ３９ｂ  係止ピン  ３９ｃ  作動アーム  ３９ｄ  アームヘッド部（押圧部）  ３９ｅ  保持部  ４０  ソレノイド  ４０ａ  プランジャ  ４０ｂ  係止溝
【図１】
2015213636.tif 000003
【図２】
2015213636.tif 000004
【図３】
2015213636.tif 000005
【図４】
2015213636.tif 000006
【図５】
2015213636.tif 000007
【図６】
2015213636.tif 000008
【図７】
2015213636.tif 000009
【図８】
2015213636.tif 000010
【図９】
2015213636.tif 000011
【図１０】
2015213636.tif 000012
【図１１】
2015213636.tif 000013